(57)【要約】【課題】データ処理システムを提供する【解決手段】外部にアクセス可能な第１のサブシステム（フロントエンド１）と、セキュリティセンターによって第１のサブシステム（フロントエンド１）への不許可のアクセスを防止する論理回路によって接続される第２のサブシステム（バックエンド２）と、を有するデータ処理システム。第２のサブシステムは、それ以外ロックされる。前記データ処理システムにおいて第２のサブシステム（１）は乱数発生器と、宝くじゲームでのデータ関与のためのメモリ素子（１０，１１，１２）とを含み、当該メモリ素子は、プレイヤーに関連する宝くじ番号、当選プラン、及び乱数発生器で表明された番号に対応したチケット番号を有する関与者に当選を割り当てるための計算機（１０，１１）とを含む。第１のサブシステムは、関与者とのデータを交換及び勝利者に通知するための計算機（６，７）を含む。【選択図】図１
2004522218.tif 000002
【特許請求の範囲】
【請求項１】
インターネットによって外部からアクセスされることができる第１のサブシステム（フロントエンド１）を有し、且つ、第１のサブシステム（フロントエンド１）に許可されていないアクセスを防止しつつ論理回路によって接続され、そうでなければロックされる第２のサブシステム（バックエンド２）を有するデータ処理システムであって、
前記第２のサブシステム（バックエンド２）が、
乱数発生器と、
当選プラン及びプレイヤーに関連する宝くじ番号を含む、宝くじでのゲームプレイヤーに関連するデータに対するメモリ素子（１０，１１，１２）と、
乱数発生器で発生された番号に基づいて、番号に対応する宝くじ番号を有するゲームプレイヤーに当選を割り当てるためのコンピュータ（１０，１１）と、
電子メール装置と、を特徴とし、
また、第１のサブシステム（フロントエンド１）が、ゲームプレイヤーとのデータのやり取り及び勝利者に通知するためのコンピュータ（６，７）を含むことを特徴とするデータ処理システム。
【請求項２】
前記乱数発生器が物理的なノイズ源を特徴とする請求項１記載のデータ処理システム。
【請求項３】
所定の時間的間隔で、特に１日１回、抽選の最終的数字と当選の割り当てを開始するタイマーを特徴とする請求項１又は２に記載のデータ処理システム。
【請求項４】
前記第１のサブシステム（フロントエンド１）のコンピュータが、彼がデータを入力することができるゲームプレイヤーのスクリーンのためのマスクを発生させることを特徴とする請求項１〜３のいずれか一項に記載のデータ処理システム。
【請求項５】
前記マスクが、ゲームプレイヤーに対して彼又は彼女が選択することができる一以上の宝くじ番号に関する入力オプションを含むことを特徴とする請求項４に記載のデータ処理システム。
【請求項６】
出資のための支払いがなされ又は確かめられるまで、宝くじでのプレイが起動させられないということを特徴とする請求項１〜５のいずれか１項に記載のデータ処理システム。
【請求項７】
当選がゲームプレイヤーによって指示された銀行口座に自動的に支払われることを特徴とする請求項１〜６のいずれか１項に記載のデータ処理システム。
【請求項８】
ゲームプレイヤーが、当選として１つ以上の抽選（ボーナスロット）で、フリーのプレイが与えられることができることを特徴とする請求項１〜７のいずれか１項に記載のデータ処理システム。
【請求項９】
ボーナスロットを除いては、それが抽選の所定の番号だけでプレイすることができることを特徴とする請求項１〜８のいずれか１項に記載のデータ処理システム。
【請求項１０】
現在のシステムにアクセスしているゲームプレイヤーに対するデータだけが前記第２のサブシステムから前記第１のサブシステム（フロントエンド１）まで移され、そこで、前記第２のサブシステム（バックエンド２）へ転送され返され又は所定の時間以後消去されることを特徴とする請求項１〜９のいずれか１項に記載のデータ処理システム。
【請求項１１】
前記コンピュータ（６，７，１０，１１）のうちの１つ以上が承認チェックを行うことを特徴とする請求項１〜１０のいずれか１項に記載のデータ処理システム。
【請求項１２】
第１のものが故障した場合、全ての前記コンピュータとメモリ（６，７，１０，１１）が作動し続ける第２のものによって補われることを特徴とする請求項１〜１１のいずれか１項に記載のデータ処理システム。
【請求項１３】
動作が完全にオートマチックであることを特徴とする請求項１〜１２のいずれか１項に記載のデータ処理システム。
【請求項１４】
乱数発生器の基本的な部分が機械的にシールされたことを特徴とする請求項１〜１３のいずれか１項に記載のデータ処理システム。
【請求項１５】
全ての単位作業が記録されることを特徴とする請求項１〜１４のいずれか１項に記載のデータ処理システム。
【請求項１６】
インターネットに接続されることを特徴とする請求項１〜１５のいずれか１項に記載のデータ処理システム。
【発明の詳細な説明】
【０００１】
本発明は、インターネットによって外部からアクセスされることができる第１のサブシステム（フロントエンド）と、許可されていないアクセスを防止し、そうでなければロックする論理回路によって第１のサブシステムに接続される第２のサブシステム（バックエンド）とを有するデータ処理システムに関する。
【０００２】
この種類のデータ処理システムは、インターネットと関連して知られている。インターネット加入者は、彼がデータを入力することができ、表示されるデータを有することができ、一般情報を受け取ることができ、適当ならば妥当な他のリンクにも進める第１のサブシステムにアクセスするが、彼は、ファイアウォールによって第１のサブシステムに接続される第２のサブシステム内のデータに直接アクセスできない。その代わりに、インターネット加入者がアクセスに必要とするデータは、選択的にのみ、第２のサブシステムから第１のサブシステムまで伝達される。
【０００３】
インターネット用途は、多様であり、また着実に上昇している人気を享受している。しかしこのような状況で、特定の領域は特に敏感である。宝くじのためには、当選が処理されることができないように、厳しい調整がいる。
【０００４】
本発明の目的は、冒頭で言及したタイプのデータ処理システムを提供することであり、それは、起こりうる外部操作のないインターネットのみからプレイすることができるようにする。
【０００５】
本発明のデータ処理システムは、第２のサブシステム（バックエンド）が、乱数発生器と、プレイヤーに割り当てられた宝くじ番号を含む宝くじでのゲームプレイヤーに関連したデータのためのメモリ素子と、勝利プランと、乱数発生器で発生させられる番号に基づいて、番号に対応する宝くじ番号を有するゲームプレイヤーに、当選を割り当てるためのコンピュータと、を特徴とするという点で識別される。また、本発明のデータ処理システムは、第１のサブシステムが、ゲームプレイヤーとのデータ交換のためのコンピュータを含み、第２のサブシステムが、勝利者に通知するために電子メール装置を含む点でも識別される。
【０００６】
当選番号は、乱数発生器によって発生され、それは、本物の乱数が発生させられ、特定の番号が他の番号より頻繁に発生されないことを確実とすることが当然に必要である。このような状況で、特別な得策が乱数発生器で見出された。それは、物理的なノイズ源（例えば半導体雑音）を使用してその番号を決定することである。この乱数発生器は、当選になることを意味するいかなる長さの最終的数字をも発生させることができる（最大２０数字）（例えば２つの最終的数字を有する宝くじ番号、３つの最終的数字を有する宝くじ番号その他）。この乱数発生器は、外部から、特に第１のサブシステム（フロントエンドシステム）から、当然アクセスできない。第２のサブシステム（バックエンドシステム）も、宝くじのゲームプレイヤーに関連したデータ（プレイヤーに割り当てられた宝くじ番号を含む）に対するメモリ素子（データベース）を含む。この場合、ゲームプレイヤーに関連したデータは、名前、アドレス、銀行詳細及びおそらく電話番号、電子メールアドレス等を含む。更に、ゲームプレイヤーが抽選をする宝くじ番号はストアされる。ゲームプレイヤーがこの文書の中で言及されるとき、これはもちろん男性のゲームプレイヤーだけでなく女性のゲームプレイヤーをも意味する。更に、メモリ素子は、ロットが正しい最終的番号を含むか、正しい最後の２つの最終的番号その他を含む場合、発生される乱数（抽選された最終的数字）の１つの特定の例に対する当選のサイズを明記した当選プランを含む。ロット、故にゲームプレイヤーへの当選に対応する特定が、次に、第２のサブシステムに配置されるコンピュータを使用して行われる。第１のサブシステムは、ゲームプレイヤーとのデータ交換のための次にコンピュータを含み、第２のサブシステムは、勝利者に通知するための電子メール装置を含む。
【０００７】
動作は、オートマチックである。特に、データ処理システムのために準備がなされ、タイマーが特徴付けられ、そこでは、規則的な時間間隔で、特に定められた時刻で、毎日乱数の発生と当選（抽選する）の特定を始める。このような抽選に対して当然に１日に一度以上準備がなされるようにすることができる。この場合、プレイヤーは、当選番号を見つけだし、可能ならばこれらの当選番号の発生を追従するために、インターネットを使用することができる。ゲームプレイヤーは、また、他の一般的な情報を得ることができる。しかし、特に、データを入れることのできるゲームプレイヤーのスクリーンに対するマスクを発生させるために、特定の又は不特定の第１のサブシステムでコンピュータに対して準備もなされる。ゲームプレイヤーは、ログオンして、彼の名前、彼のアドレス、バンク詳細と支払いタイプをここから入力することができる。支払いが送付によって受け取られ、又は他にゲームプレイヤーが使用を望むクレジットカード機関その他同様のものによって、支払いが承認されるとすぐに、ゲームプレイヤーは、１つの有利な実施形態で、１つ以上の抽選を番号に選ぶことができる。ゲームプレイヤーが選択することができるロットの番号は、この場合制限されることもできる。
【０００８】
ゲームプレイヤーが彼の個人のデータと所望の抽選番号を入力しなければならないという事実を除いては、動作はオートマチックである。当選は、同様に、自動的にゲームプレイヤーによって示された預金口座に払われる。更に、当選として一つ以上の抽選（ボーナスロット）で、ゲームプレイヤーにフリーのプレイが与えられるように準備がなされることができる。これは、例えば、プレイヤーの抽選番号が、該当する抽選の正しい最終の番号を含むケースであることができる。
【０００９】
ボーナスロットを除いては、抽選の所定の番号でプレイすることだけが可能なことを提供することも可能である。１つの有利な実施形態で、１例として、全部のサイクルが各々のケースで２８日毎に繰り返されることを意味する７つ（毎日１つ）の抽選を各々含む４つの連続したクラス（毎週の抽選）を提供することが可能だろう。当選のチャンスのより大きな数があるので、抽選の最小の番号が選ばれる必要があるという事実は、宝くじの魅力を増加させる。
【００１０】
データセキュリティのために、第２のサブシステムから第１のサブシステムまで転送されるシステムに現在アクセスしているゲームプレイヤーに関連するデータだけが有利にも提供され、そこで、それらは第２のサブシステムから転送され返されるか、所定の時間以後消去される。これは、データ操作に対して最大可能な保護及び最大可能なデータセキュリティを提供する。第１のサブシステムへのアクセスも、ファイアウォールによって保護されるという事実と、ゲームプレイヤーはパスワードでのみアクセスできるという事実は、この状況で言うまでもなく、また多くの他のインターネットページのために慣習的である慣習に従う。
【００１１】
有利にも１つ以上のコンピュータで準備がなされ、第２のサブシステムか、有利には実際に第１のサブシステムでのどちらかで認可チェックを行う。従って、一例として、宝くじがプレイされることができるエリアで、ゲームプレイヤーが実際に住んでいるかどうか調べるためにジップコードを使用することが可能である。
【００１２】
便宜上、全てのコンピュータとメモリが第２のものによって補われ、第１のものが故障しても、その動作は継続することができる。
【００１３】
すでに、説明したが、動作は完全にオートマチックである。ゲームプレイヤーだけは、当然手動で彼のデータを入力する必要がある。しかし、当選の支払いで、クレジットカード、支払い受取りと同類のための認可は自動的に検査される。
【００１４】
すでに、述べたが、ファイアウォールは、システムへの又はシステムのコンポーネントへの許可されていないアクセスが起こらないことを確実とする。しかし、システムの基本的な部分が機械的にシールされた場合、操作の危険性に対抗する際に特に有利であることが見いだされた。従って、処理されることができないように、一例として、乱数発生器がシールされた透明なハウジングに収容することができるだろう。必要ならば、このハウジングは当然換気口が提供される必要がある。
【００１５】
便宜上また、ログインされる全ての基本的作業（特に最終の数字の発生）に対して準備がなされることができる。これは、電子的形態で又は他に文書で印刷することつけられることができる。
【００１６】
【発明の実施の形態】
本発明は、添付の図面に関する有利な実施形態を用いて以下の例を通して説明される。
【００１７】
図１で示すデータ処理システムは、３つのエリア、すなわち、自由にアクセス可能なインターネットエリア３と、第１のサブシステム１と、第２のサブシステム２とを特徴とする。この場合、第１のサブシステム１は、ファイアウォール４によって自由にアクセス可能なインターネットエリア３から絶縁される。一般情報を越えたデータは、パスワードを使用することだけでアクセス可能である。第１のサブシステム１は、「ロジック」ファイアウォールによって第２のサブシステム２から絶縁される。第１のサブシステムは、データ構造８にリンクされるウェブサーバ６とデータサーバ７を特徴とする。９で、コンピュータ６又は７が故障するならば、使用できるバックアップコンピュータが示される。第２のサブシステム２は、１１に接続されている他のバックアップコンピュータを備えるメインコンピューター１０を含み、後者が故障した場合、コンピュータ１０の機能を行うことができる。リンクは、データベースシステム８によって作られる。１２で、バックアップドライブがまた、示され、更にコンピュータ１０と１１で記憶するためにデータをストアする。ここで示される実施形態で、乱数発生器はコンピュータ１０と１１によってアクセスされる。第２のサブシステム２は、バンク、クレジットカード機関その他インターネット接続に接続される。
【００１８】
当選プランを、図２で示す。宝くじは、１週７日の４週の各々にわたって延長される。毎日、１つの抽選がある。一例として、各々のケースで、各々連続する２８日がプレイするのに必要であるが、第１の日は２８日のサイクルのいかなる日でもあることができる。ボーナスロットだけの場合、１つのクラスだけでプレイすることができ、すなわち、後続の宝くじの第１クラスである。
【００１９】
宝くじは、インターネットの上で完全にペーパーレスに実行され、最高でも、金融公共機関にペーパーコピーとして送られるログ又は乱数発生器からの番号に対して作られることができる準備がなされる。
【００２０】
ゲームプレイヤーは、インターネットページにアクセスすると、次に最初に一般情報特に宝くじのオンラインプレゼンテーションを見ることができる。彼は、次にログインすることができるか、再び登録することができる。これは、パスワードの使用を含む。ロットが注文され、支払い情報の入力を含むゲームプレイヤーのデータが入力されると、ロットは入力マスクを使用して選択される。しかし、銀行の転送によって、又はクレジットカード機関によって支払いが認可なされるまで、ロットは起動されない。このインターネットページは、次にまた、最終的な数字の発生を示すために使用される。それは、当たったかどうかゲームプレイヤーがみつけることができるようにもする。彼又は彼女がインターネットの上でページを呼ぶと、個人のデータも、第２の安全なサブシステムから第１のサブシステムまで移される。ゲームプレイヤーが接続を破るとき、又は、ゲームプレイヤーが再びアクティブでない所定の時間以後、これらのデータは、安全な第２のサブシステムへ転送されるか、他に消去される。顧客デビットの処理、抽選処理、当選通知、オリジナルデータの処理その他が安全な第２のサブシステムで起こる。支払い取引、支払いデータのオンライン確認、バンクとのデータ交換（転送、クレジットとデビット）が、インターネットの上にで同じく有利に起こる。
【００２１】
正確に定められた時間の間隔で、図２の例の場合、１日に１回同じ時間に毎日、最終的数字が発生させられる。これは、ロットが正しい最終的番号、２つの正しい最終的番号その他で確かめられることを意味し、それは、当選プランに基づいて次に当選が割り当てられる。この当選は、次に自動的にゲームプレイヤーによって示された預金口座へ移される。
【００２２】
セキュリティ目的のために、宝くじ番号、顧客番号、プレイ期間、ゲームプレイヤーのカレントアカウントに関する情報が提供された作成されるべき電子ロットに対して準備が便宜上作られ、それは、すっかりデジタル的に暗号化され、電子ロットが変更から保護される。
【００２３】
便宜上、図１で使用されるデータベース８は、オラクルデータベースである。論理的には他のデータベースを使用することが同様に可能であるが、第一にそれに一致しないであろう。ゲームプレイヤーが実際にゲームをプレイする権利があるかどうかを検査するために、彼は彼が１８才以上でどうかについて示す必要があり、また、この点に関して制限があるならば、部分的な資格はジップコードを検査することによって証明される。
【図面の簡単な説明】
【図１】
本発明のデータ処理システムの設計の略図を示す。
【図２】
当選プランの例を示す。
【図１】
2004522218.tif 000003
【図２】
2004522218.tif 000004
【国際公開パンフレット】
2004522218.tif 000005
2004522218.tif 000006
2004522218.tif 000007
2004522218.tif 000008
2004522218.tif 000009
2004522218.tif 000010
2004522218.tif 000011
2004522218.tif 000012
2004522218.tif 000013
2004522218.tif 000014
2004522218.tif 000015
2004522218.tif 000016
2004522218.tif 000017
2004522218.tif 000018
2004522218.tif 000019
【国際公開パンフレット（コレクトバージョン）】
2004522218.tif 000020
2004522218.tif 000021
【国際調査報告】
2004522218.tif 000022
2004522218.tif 000023
2004522218.tif 000024
2004522218.tif 000025
2004522218.tif 000026
2004522218.tif 000027